(57)【要約】【課題】正弦波テーブルを含むＤＴＭＦ音源データを用いることなく正弦波信号を発生させると共に、イコライザ回路を流用して正弦波信号を発生させ、この正弦波信号を基にＤＴＭＦ信号を生成するＤＴＭＦ発生装置を提供する。【解決手段】ＩＩＲフィルタを用いて構成されるイコライザ回路１４に、インパルス発生部１１からインパルス信号を印加して正弦波信号を発生させ、イコライザ回路１４を第１の正弦波発生回路とする。また、同様に、ＩＩＲフィルタを用いて構成されるイコライザ回路１５に、インパルス発生部１１からインパルス信号を印加して正弦波信号を発生させ、イコライザ回路１５を第２の正弦波発生回路とする。そして、２つのイコライザ回路（正弦波発生回路）１４，１５から出力される２つの異なる周波数の正弦波信号を加算器６２により加算してＤＴＭＦ信号を生成する。【選択図】図２
2011030142.tif 000002
【特許請求の範囲】
【請求項１】
周波数の異なる２つの正弦波信号を合成してＤＴＭＦ（Dual-Tone Multi-Frequency)信号を生成するＤＴＭＦ発生装置であって、
第１の正弦波信号を出力する第１のＩＩＲフィルタと、
前記第１の正弦波信号とは異なる周波数の第２の正弦波信号を出力する第２のＩＩＲフィルタと、
前記第１及び第２のＩＩＲフィルタにインパルス信号を印加し、当該第１及び第２のＩＩＲフィルタに正弦波信号を生成させるためのインパルス発生部と、
前記第１及び第２のＩＩＲフィルタの出力する正弦波信号を加算し、ＤＴＭＦ信号を出力する加算器と
を備えることを特徴とするＤＴＭＦ発生装置。
【請求項２】
所定のサンプリング周期で標本化されたデジタルオーディオ信号が入力される複数のイコライザ回路を有するイコライザ装置であって、
ＩＩＲフィルタにより構成される少なくとも２個のＩＩＲフィルタイコライザ回路と、
インパルス信号を出力するインパルス発生部と、
前記ＩＩＲフィルタイコライザ回路毎に設けられ、前記ＩＩＲフィルタイコライザ回路に対し、前記デジタルオーディオ信号または前記インパルス信号のいずれかを選択して出力するセレクタと、
前記インパルス信号を出力するよう前記セレクタを制御し、前記ＩＩＲフィルタイコライザ回路のそれぞれに正弦波信号を発生させるＤＴＭＦ選択部と、
前記デジタルオーディオ信号を出力するよう前記セレクタを制御し、ＩＩＲフィルタイコライザ回路それぞれにイコライザ動作を行わせるイコライザ選択部と、
前記ＩＩＲフィルタイコライザ回路各々の出力する正弦波信号を加算し、ＤＴＭＦ信号を出力する加算器と
を備えることを特徴とするイコライザ装置。
【請求項３】
Ｄ／Ａコンバータ回路の入力信号に対してディザ信号を印加するためのディザ発生回路であって、
前記ディザ信号となる正弦波信号を生成するＩＩＲフィルタと、
前記ＩＩＲフィルタにインパルス信号を印加し前記ＩＩＲフィルタに正弦波信号を生成させるためのインパルス発生部と、
を備えることを特徴とするディザ発生回路。
【発明の詳細な説明】
【技術分野】
【０００１】
本発明は、電話機等においてプッシュホン信号を出力するＤＴＭＦ（Dual-Tone Multi-Frequency)発生装置に関し、ＤＴＭＦ信号を生成するＤＴＭＦ発生装置に関する。また、イコライザ回路を用いてＤＴＭＦ信号を生成するイコライザ装置、およびイコライザ回路を用いてディザ信号を発生するディザ発生回路に関する。
【背景技術】
【０００２】
従来から、電話機等のプッシュホン信号として用いられるＤＴＭＦ信号を出力するＤＴＭＦ発生装置が知られている。このＤＴＭＦ発生装置から出力されるＤＴＭＦ信号は、２つの正弦波（Ｓｉｎ波）の合成波として生成され、例えば、高群４種および低群４種から各々選ばれた２種類の周波数成分の組によって生成されている。
【０００３】
ところで、このＤＴＭＦ発生装置においては、正弦波を生成する際に、正弦波テーブルが用いられることが多い（例えば、特許文献１および特許文献２を参照）。上記正弦波テーブルを用いる方法では、例えば、第１象限に２５６個のデータをＲＯＭ（Read Only Member）等に記憶させておき、１周期１０２４（２５６×４）サンプルデーブルとして用意しておく。そして、読み出すアドレスの変化速度を変えることにより、任意の周波数のサイン波を得る。少数点の演算の場合は、２つのアドレスのデータを読み出し、線形補完で値を求める。このように、正弦波テーブルを用いることにより、演算プロセッサ（例えば、ＤＳＰ（Digital Signal Processor）等）において、高速に、かつ、演算処理の負担を軽減して正弦波を生成することが可能になる。
【先行技術文献】
【特許文献】
【０００４】
【特許文献１】特開２００１−２４７４８号公報
【特許文献２】特開平１０−３２７２２２号公報
【発明の概要】
【発明が解決しようとする課題】
【０００５】
上述したように、従来のＤＴＭＦ発生装置においては、正弦波信号の生成の際に使用する正弦波テーブルを備えるため、この正弦波テーブルを記憶するために余分のメモリが必要であり、内蔵するメモリ容量の増加を招いていた。
【０００６】
また、従来のＤＴＭＦ発生装置は、図５（Ａ）に示すように、オーディオ信号再生装置１００の付属機能として設備されることが多い。また、ＤＴＭＦ発生装置１１０（破線で囲んだ部分）は、ＤＴＭＦ音源データ１１２をＤＳＰ１１３内のＤＴＭＦ生成処理部１１４Ａに送り、ＤＳＰ１１３内でＤＴＭＦ音源データ１１２の再生処理を行うことにより、実現されている。この場合、正弦波テーブル等のＤＴＭＦ音源データ１１２は、オーディオデジタル信号（ＭＰ３データ等）を保存する音源データ保存部１１１の中に含まれており、ＤＳＰ１１３に対して、ＤＴＭＦ音源データ１１２を送信するための専用の信号経路Ａ１が必要となる。また、ＤＴＭＦ音源データ１１２をＤＳＰ１１３に送信する際には、音源データ保存部１１１の全体の電源を立ち上げる必要があるため、ＤＴＭＦ信号を生成する際に、音源データ保存部１１１において無駄な電力消費が発生していた。
【０００７】
本発明は、斯かる実情に鑑みなされたものであり、本発明は、正弦波テーブルを含むＤＴＭＦ音源データを用いることなく正弦波信号を発生できるＤＴＭＦ発生装置を提供することを、第１の目的とする。
【０００８】
さらに、本発明は、複数のイコライザ回路を内蔵するイコライザ装置において、イコライザ回路を流用してＤＴＭＦ発生装置の機能を実現することができるイコライザ装置を提供することを、第２の目的とする。
またさらに、本発明は、正弦波テーブルを使用することなく、イコライザ回路を流用することにより、ディザ信号（正弦波信号）を発生させることができる、ディザ発生回路を提供することを、第３の目的とする。
【課題を解決するための手段】
【０００９】
本発明は上記課題を解決するためになされたものであり、本発明のＤＴＭＦ発生装置は、周波数の異なる２つの正弦波信号を合成してＤＴＭＦ（Dual-Tone Multi-Frequency)信号を生成するＤＴＭＦ発生装置であって、第１の正弦波信号を出力する第１のＩＩＲフィルタと、前記第１の正弦波信号とは異なる周波数の第２の正弦波信号を出力する第２のＩＩＲフィルタと、前記第１及び第２のＩＩＲフィルタにインパルス信号を印加し、当該第１及び第２のＩＩＲフィルタに正弦波信号を生成させるためのインパルス発生部と、前記第１及び第２のＩＩＲフィルタの出力する正弦波信号を加算し、ＤＴＭＦ信号を出力する加算器とを備えることを特徴とする。
【００１０】
また、本発明のイコライザ装置は、所定のサンプリング周期で標本化されたデジタルオーディオ信号が入力される複数のイコライザ回路を有するイコライザ装置であって、ＩＩＲフィルタにより構成される少なくとも２個のＩＩＲフィルタイコライザ回路と、
インパルス信号を出力するインパルス発生部と、前記ＩＩＲフィルタイコライザ回路毎に設けられ、前記ＩＩＲフィルタイコライザ回路に対し、前記デジタルオーディオ信号または前記インパルス信号のいずれかを選択して出力するセレクタと、前記インパルス信号を出力するよう前記セレクタを制御し、前記ＩＩＲフィルタイコライザ回路のそれぞれに正弦波信号を発生させるＤＴＭＦ選択部と、前記デジタルオーディオ信号を出力するよう前記セレクタを制御し、ＩＩＲフィルタイコライザ回路それぞれにイコライザ動作を行わせるイコライザ選択部と、前記ＩＩＲフィルタイコライザ回路各々の出力する正弦波信号を加算し、ＤＴＭＦ信号を出力する加算器とを備えることを特徴とする。
【００１１】
また、本発明のディザ発生回路は、Ｄ／Ａコンバータ回路の入力信号に対してディザ信号を印加するためのディザ発生回路であって、前記ディザ信号となる正弦波信号を生成するＩＩＲフィルタと、前記ＩＩＲフィルタにインパルス信号を印加し前記ＩＩＲフィルタに正弦波信号を生成させるためのインパルス発生部と、を備えることを特徴とする。
【発明の効果】
【００１２】
本発明のＤＴＭＦ発生装置においては、周波数の異なる２つの正弦波信号のそれぞれをＩＩＲフィルタにより生成する。
すなわち、本発明のＤＴＭＦ発生装置は、ＩＩＲフィルタにより、ＤＴＭＦにおける正弦波を発生させる。
これにより、正弦波テーブル等のＤＴＭＦ音源データを使用することなく正弦波を発生でき、また、ＤＴＭＦ音源データをＤＳＰへ送るための信号経路が不要となる。また、ＤＴＭＦ信号を再生する場合に、音源データ保存部（オーディオデータの保存部）の電源を立ち上げる必要がなくなり、消費電力の低減が図れる。
【００１３】
また、本発明のイコライザ装置においては、ＩＩＲフィルタを用いて構成される少なくとも２個のイコライザ回路を有する。そして、ＤＴＭＦ信号を出力する場合は、この２個のイコライザ回路のＩＩＲフィルタに対してインパルス信号を印加し、それぞれのＩＩＲフィルタから異なる周波数の２つの正弦波信号を発生させてＤＴＭＦ信号を生成する。また、ＤＴＭＦ信号を出力しない場合は、この２個のイコライザ回路に対してデジタルオーディオ信号を印加し、それぞれのＩＩＲフィルタをイコライザとして作動させる。
これにより、複数のイコライザ回路（ＩＩＲフィルタ）を内蔵するイコライザ装置において、ＤＴＭＦ信号の出力が必要な場合には、イコライザ回路をＤＴＭＦ発生装置として作動させることができる。
【００１４】
また、本発明のディザ発生回路においては、ＩＩＲフィルタで構成される正弦波発生回路によりディザ信号を発生させる。
これにより、正弦波テーブルを使用することなく、ＩＩＲフィルタを用いてディザ信号（正弦波信号）を発生させることができる。
【図面の簡単な説明】
【００１５】
【図１】本発明のＤＴＭＦ発生装置における正弦波発生回路の構成を示す図である。
【図２】本発明のイコライザ装置の構成例を示す図である。
【図３】正弦波発生回路の発振波形の例を示す図である。
【図４】本発明のディザ発生回路の構成を示す図である。
【図５】本発明の効果について説明するための図である。
【発明を実施するための形態】
【００１６】
以下、本発明の実施の形態を添付図面を参照して説明する。図１は、本発明のＤＴＭＦ発生装置に使用される正弦波信号の発生回路の例を示す図である。
【００１７】
図１（Ａ）は、ＩＩＲ（無限インパルス応答：Infinite impulse response）フィルタを用いた正弦波発生回路の構成を示す図である。図１（Ａ）に示す正弦波発生回路１２は、よく知られた直列構成のＩＩＲフィルタを用いて構成されており、このＩＩＲフィルタは、入力される２つの信号を加算する加算器２１，２２と、入力する信号を１サンプリング時間ずつ遅延する遅延部（Ｄ）３１，３２と、入力される信号に所定の係数を乗算して出力する係数器４１，４２，４３とで構成される。
【００１８】
入力信号ｘ［ｎ］（ｎは整数）は、サンプリングされたデータ列である。入力信号ｘ[ｎ]は遅延部（Ｄ）３１，３２により、１サンプリング時間ずつ遅延される。このため、遅延部３１に入力信号ｘ［ｎ−１］（１サンプリング周期だけ遅延された信号）に対応した信号ｘ‘［ｎ−１］が、遅延部３２に入力信号ｘ[ｎ−２] （２サンプリング周期だけ遅延された信号）に対応した信号ｘ‘［ｎ−２］が設定されている。そして、係数器４１は、遅延部（Ｄ）３１の信号ｘ’［ｎ−１］に、係数ａ１を乗算して加算器２２へ出力する。また、係数器４２は、遅延部（Ｄ）３２の信号ｘ‘[ｎ−２]に、係数ａ２を乗算して加算器２２へ出力する。また、係数器４３は、遅延部（Ｄ）３１の信号ｘ’［ｎ−１］に係数ｂ１を乗算して、出力信号ｙ［ｎ］として出力する。この出力信号ｙ［ｎ］も、上記サンプリング周期に対応するデータ列である。
【００１９】
上記回路構成において、入力ｘ［ｎ］と、出力ｙ［ｎ］との差分方程式は、
ｙ［ｎ］＝ａ１・ｙ［ｎ−１］＋ａ２・y［ｎ−２］＋ｂ１・ｘ[ｎ−１]
…（１）
となる。また、上記ＩＩＲフィルタに正弦波を発生させるために、係数器４１の係数ａ１は、「ａ１＝２ｃｏｓ（２πＦＴ）」に設定される。ここで、Ｆは正弦波の周波数（設定周波数）、Ｔはサンプリング周期（標本化間隔）である。また、係数器４２の係数ａ２は、「ａ２＝−１」に設定される。
【００２０】
これに対応する入力信号ｘ［ｎ］と、出力信号ｙ［ｎ］の伝達関数Ｈ（ｚ）は、
Ｈ（ｚ）＝ｂ１・Ｚ−１／（1−２ｃｏｓθ・Ｚ−１＋Ｚ−２）
…（２）
となる。
ただし、上記（２）式において、「θ＝２πＦＴ」である。
そして、インパルス応答ｈ［ｎ］は、上記伝達関数Ｈ（ｚ）の逆ｚ変換で与えられ、
ｈ［ｎ］＝ｂ１・ｓｉｎ［２πＦＴｎ］／ｓｉｎ（２πＦＴ）
…（３）
となる。
【００２１】
従って、図１（Ａ）に示す回路は、インパルス発生部１１から、インパルス信号が印加されると、インパルス応答として正弦波信号が出力されることになる。この正弦波は、係数ａ１により、その周波数が決定され、係数ｂ１によりゲイン（利得）が決定される。
【００２２】
また、図１（Ｂ）は、イコライザ回路を正弦波発生回路として使用する例を示す図である。このイコライザ回路１３（破線で囲んだ部分）として用いているＩＩＲフィルタは、周知の構成の２次のＩＩＲフィルタである。図１（Ｂ）に示すイコライザ回路は、図１（Ａ）に示す回路に、遅延部（Ｄ）３３、３４と、係数器４３，４４,４５と、加算器２３とを新たに追加した構成になっている。そして、このイコライザ回路１３においては、各係数ａ１，ａ２,ａ３，ａ４，ｂ１を任意に設定することにより、所望の周波数特性（バンドパスフィルタ特性）を設定することができる。
【００２３】
図１（Ｂ）に示す回路構成において、入力ｘ［ｎ］と出力ｙ［ｎ］との差分方程式は、
ｙ［ｎ］＝ａ１・ｙ［ｎ−１］＋ａ２・y［ｎ−２］＋ｂ１・ｘ[ｎ]＋ａ３・ｘ［ｎ−１］＋ａ４・ｘ［ｎ−２］                                …（４）
となる。
従って、上記（４）式において、係数ａ３，ａ４を値“０”にすることにより、
ｙ［ｎ］＝ａ１・ｙ［ｎ−１］＋ａ２・y［ｎ−２］＋ｂ１・ｘ[ｎ]
…（５）
と、（１）式と同様な構成の式となる。
【００２４】
従って、図１（Ｂ）に示すイコライザ回路１３において、係数ａ３，ａ４を“０”にすることにより、このイコライザ回路１３を図１（Ａ）に示す正弦波発生回路１２と、等価的に同じ回路構成とすることができる。ただし、図１（Ａ）に示す出力信号ｙ［ｎ］は、図１（Ｂ）に示す出力信号ｙ［ｎ］に対して、１サンプリング周期分だけ前の信号の対応関係となる。これにより、図１（Ｂ）に示すイコライザ回路１３を、図１（Ａ）に示す正弦波発生回路１２として作動させることができる。すなわち、イコライザ回路１３を正弦波発生回路として用いることになる。
【００２５】
図３は、ＩＩＲフィルタを用いた正弦波発生回路により発生される正弦波信号の例を示す図であり、設定周波数が「５００Ｈｚ」、振幅が「０．７」、サンプリング周期が「ΔＴ＝２．０８３３３×１０−５ｓｅｃ」、係数ａ１が「１．９９５７１７８４６」、係数ａ２が「−１」、係数ｂ１が「０．０４５７８２１９」の場合の例である。
【００２６】
このように、本発明のＤＴＭＦ発生装置においては、イコライザ回路を構成するＩＩＲフィルタ（バンドパスフィルタ）の係数器４３及び４４の係数ａ３及びａ４を「０」と設定し、インパルスを入力信号とすることにより、正弦波発生回路を構成することができる。一般に音源データを再生する機器（電話機、オーディオ装置等）においては、上述したイコライザ回路を備える機器が多く、本発明のＤＴＭＦ装置においては、このイコライザ回路を活用して、正弦波発生回路を構成することができる。
【００２７】
また、本発明のＤＴＭＦ発生装置は、図５（Ｂ）に示すように、ＤＳＰ１１３内にＤＴＭＦ生成処理部（２個のＩＩＲフィルタを含む処理部）１１４を設けることにより、その機能が実現される。このため、図５（Ａ）に示すような、ＤＴＭＦ音源データ１１２をＤＳＰ１１３に送信するための専用の信号経路Ａ１が不要となる。また、ＤＴＭＦ信号を再生する場合に音源データ保存部１１１の電源を立ち上げる必要もなくなる。このため、ＤＴＭＦ信号を生成する際に、音源データ保存部１１１における無駄な電力消費の発生を抑止することができる。
【００２８】
なお、図１（Ｂ）に示すイコライザ回路１３においては、遅延部（Ｄ）の段数が２段（２サンプリング周期前までの入力値を使用して現在の出力値を演算する）とし、遅延部（Ｄ）の段数に対応させて、係数器および加算器の個数を設定した例を示しているが、これに限定されない。例えば、遅延部（Ｄ）の段数をｎ段（ｎは任意の整数）とすることができる（後述する図２に示すイコライザ回路１４，１５，１６においても同様）。また、図１（Ｂ）に示す正弦波発生回路（ＩＩＲフィルタ）１３の各部の処理は、デジタル信号処理に特化したＤＳＰにおいて、予め記憶したプログラムの実行による処理、および内蔵された演算ユニットによる演算処理により、その処理機能が実現されるものである。
【００２９】
また、図２は、本発明のイコライザ装置の構成例を示す図である。図２に示すイコライザ装置は、３つのイコライザ回路１４，１５、１６を有して構成される。このイコライザ回路１４,１５,１６は、図１（Ｂ）に示すイコライザ回路と同様な構成のものである。そのため、同一の構成部分には同一の符号を付している。この図２においては、複数個のイコライザ回路を用いた一例として、３つのイコライザを用いた３−バンドのイコライザ装置を示しているが、４つ以上のイコライザを用いたイコライザ回路の構成としても良い。
【００３０】
すなわち、図２に示すイコライザ装置は、３つのイコライザ回路１４，１５、１６を３−バンド（ｂａｎｄ）のイコライザ回路として使用することができる他に、２つのイコライザ回路１４、１５を正弦波発生回路としてＤＴＭＦ発生装置に使用し、イコライザ回路１６を１−バンドのイコライザ回路として使用することができる。この機能の選択は、機能選択部７１からセレクタ回路５１，５２に送られる機能選択信号ＳＬにより行なわれる。この機能選択部７１には、ＤＴＭＦ選択部７２と、イコライザ選択部７３とが含まれている。
【００３１】
上記ＤＴＭＦ選択部７２は、機能選択信号ＳＬをセレクタ５１及び５２に対して出力し、３つのイコライザ回路を３−バンドのイコライザ回路として用いる（通常モード）か、または２つのイコライザ回路それぞれを正弦波発生回路として用い、１つをイコライザとして用いる（ＤＴＦＭモード）かの切替を行っている。
機能選択信号ＳＬがＤＴＦＭモードを設定するデータの場合、セレクタ回路５１及びセレクタ回路５２各々は、それぞれイコライザ回路１４，１５に対し、インパルス発生部１１の出力するインパルスを入力させる設定となる。また、ＤＴＭＦ選択部７２は、イコライザ回路１４，１５の係数器４３，４４における係数ａ３，ａ４を値“０”に設定すると共に、係数器４１，４２における係数ａ１，ａ２のそれぞれを予め設定された所定の値とする。
上述した処理を行った後、ＤＴＭＦ選択部７２は、セレクタ回路５１，５２を介して、インパルス発生部１１からインパルス信号を出力させ、イコライザ回路１４，１５のそれぞれが正弦波信号を発生させる機能選択信号ＳＬを出力する。また、ＤＴＭＦ選択部７２は、イコライザ回路１４，１５の係数器４３，４４における係数ａ３，ａ４を値“０”に設定すると共に、係数器４１，４２における係数ａ１，ａ２のそれぞれを所定の値に設定する。また、ＤＴＭＦ選択部７２は、イコライザ回路１６の係数器４１，４２，４３，４４における係数ａ１，ａ２，ａ３，ａ４のそれぞれを所定の値に設定する。
【００３２】
イコライザ選択部７３は、２個のイコライザ回路１４，１５に対してセレクタ回路５１，５２を介して音源データ（デジタルオーディオ信号）を印加し、イコライザ回路１４，１５のそれぞれをイコライザとして作動させるように機能選択信号ＳＬを制御する。また、イコライザ選択部７３は、イコライザ回路１４，１５，１６の係数器４１，４２，４３，４４における係数ａ１，ａ２，ａ３，ａ４のそれぞれを所定の値に設定する。
【００３３】
以下に、図２に示すイコライザ装置を、ＤＴＭＦ発生装置と１―バンドのイコライザ回路として作動させるＤＴＭＦモードの場合を説明する。ＤＴＭＦモードの場合、例えば、イコライザ回路１４を、第１の周波数の正弦波信号を出力する第１の正弦波発生回路とし、イコライザ回路１５を、第２の周波数の正弦波信号を出力する第２の正弦波発生回路とする。また、イコライザ回路１６は、イコライザ回路１４及び１５各々で生成された正弦波を加算器６２で合成したＤＴＭＦ信号をイコライズ処理する。
【００３４】
したがって、機能選択部７１内のＤＴＭＦ選択部７２により機能選択信号ＳＬを制御し、イコライザ回路１４に、インパルス発生部１１から出力されるインパルス信号を、セレクタ回路５１を介して入力させる。この際、係数器４３,４４の係数ａ３，ａ４を“０”に設定することにより、このイコライザ回路１４を第１の正弦波発生回路として作動させる。そして、イコライザ回路１５に、インパルス発生部１１から出力されるインパルス信号を、セレクタ回路５２を介して入力させる。また、ＤＴＭＦ選択部７２は、係数器４３，４４の係数ａ３，ａ４を“０”に設定することにより、このイコライザ回路１４を第２の正弦波発生回路として作動させる。
【００３５】
この場合に、イコライザ回路１４における係数器４１の係数をａ１ｘとし、係数器４２の係数をａ２ｘに設定する。また、イコライザ回路１５における係数器４１の係数をａ１y（ａ1ｙ≠ａ１ｘ）とし、係数器４２の係数をａ２ｙ（ａ２ｙ≠ａ２ｘ）とする。これにより、イコライザ回路１４から出力される正弦波信号の周波数と、イコライザ回路１５から出力される正弦波信号の周波数とが異なるように設定することができる。また、イコライザ回路１４における係数器４５の係数をｂ１ｘとし、イコライザ回路１５における係数をｂ１ｙ（ｂ１ｘ≠ｂ１ｙ）とし、イコライザ回路１４とイコライザ回路１５における利得を異なるように設定することができる。
【００３６】
そして、イコライザ回路１４から出力される正弦波信号と、イコライザ回路１５から出力される正弦波信号とを加算器６２により加算することにより、ＤＴＭＦ信号が生成される。加算器６２はＤＴＭＦ信号を、イコライザ回路１６に出力する。イコライザ回路１６は、係数器４１における係数ａ１ｚ、係数器４２における係数ａ２ｚ、係数器４３における係数ａ３ｚ、および係数器４４における係数ａ４ｚにより決まるバンドパスフィルタ特性によりイコライズされることになる。このように、ＤＴＭＦ信号の出力が必要な場合には、イコライザ回路１４，１５を正弦波発生回路として動作させて、本発明のイコライザ装置をＤＴＭＦ発生装置として機能させることができる。
【００３７】
なお、上述したＤＴＭＦモードの場合、ＤＴＭＦ選択部７２が音源データＭＰ［ｎ］に対する係数器６１の係数ｂ３を“０”に設定することにより、音源データＭＰ［ｎ］の加算器６２への入力を遮断する。これにより、ＤＴＭＦ信号のみを出力することができる。
【００３８】
次に、図２に示す回路を、３−バンドのイコライザ回路として使用する通常モードの場合を説明する。図２において、イコライザ回路１４，１５，１６のそれぞれは、それぞれ対応する帯域の周波数でピークを有する周波数特性（バンドパスフィルタ特性）を有するように設定されており、入力信号となる音源データＭＰ［ｎ］をイコライズし、最終段のイコライザ回路１６から、イコライズされた信号ｙ３［ｎ］を出力する。
【００３９】
イコライザ回路１４，１５，１６は、それぞれに与えられるフィルタ特性（バンドパスフィルタ特性）に応じて、係数器４１〜４５の係数が設定される。この係数の設定は、イコライザ選択部７３により行なわれる。すなわち、イコライザ回路１４においては、係数器４１では係数ａ１ｘを、係数器４２では係数ａ２ｘを、係数器４３では係数ａ３ｘを、係数器４４では係数ａ４ｘを、係数器４５では係数ｂ１ｘを、それぞれ入力信号に乗算するように設定される。
【００４０】
また、イコライザ回路１５においては、係数器４１では係数ａ１ｙを、係数器４２では係数ａ２ｙを、係数器４３では係数ａ３ｙを、係数器４４では係数ａ４ｙを、係数器４５では係数ｂ１ｙを、それぞれ入力信号に乗算するように設定される。同様にして、イコライザ回路１６においては、係数器４１では係数ａ１ｚを、係数器４２では係数ａ２ｚを、係数器４３では係数ａ３ｚを、係数器４４では係数ａ４ｚを、係数器４５では係数ｂ１ｚを、それぞれ入力信号に乗算するように設定される。
【００４１】
上記構成により、入力信号となる音源データＭＰ［ｎ］は、セレクタ回路５１を介して、イコライザ回路１４に入力される。イコライザ回路１４では、入力された音源データＭＰ［ｎ］を、イコライザ回路１４の係数器４１〜４５に設定された係数（フィルタ特性）に応じてイコライズし、出力信号ｙ１［ｎ］として出力する。イコライザ回路１４の出力信号ｙ１［ｎ］は、係数器４６により係数ｂ２が乗算されて、加算器６２に向けて出力される。また、イコライザ回路１４の出力信号ｙ１［ｎ］は、セレクタ回路５２を介して、イコライザ回路１５に入力される。
【００４２】
イコライザ回路１５では、イコライザ回路１４から入力される信号ｙ１［ｎ］を、イコライザ回路１５の係数器４１〜４５に設定された係数（フィルタ特性）に応じてイコライズし、出力信号ｙ２［ｎ］として出力する。イコライザ回路１５の出力信号ｙ２［ｎ］は、加算器６２に向けて出力される。一方、音源データＭＰ［ｎ］は、係数器６１により係数ｂ３が乗算されて、加算器６２に向けて出力される。すなわち、加算器６２では、イコライザ回路１４からの出力信号と、イコライザ回路１５からの出力信号と、音源データＭＰ［ｎ］の信号とを加算して、イコライザ回路１６に出力する。ここで、係数器６１の係数ｂ３は、イコライザ選択部７３により設定される。
【００４３】
イコライザ回路１６では、加算器６２からの出力を入力信号ｘ３［ｎ］とし、イコライザ回路１６の係数器４１〜４５に設定された係数（フィルタ特性）に応じてイコライズし、出力信号ｙ３［ｎ］として出力する。
このように、図４に示すような回路動作を行わせることにより、本発明のイコライザ装置を、３−バンドのイコライザ回路として作動させることできる。
【００４４】
また、図４は、本発明によるディザ発生回路の構成を示す図である。
図４に示すディザ発生回路は、ＩＩＲフィルタにより構成したディザ発生回路８１と、インパルス発生部１１とにより構成される。このディザ発生回路８１は、量子化雑音を白色化するために用いられるディザと呼ばれる一種の雑音信号（ディザ信号）Ｄｔを発生する回路である。このディザ発生回路８１は、図１（Ｂ）に示す、ＩＩＲフィルタを用いたイコライザ回路１３と同じ構成のものである。
【００４５】
このディザ信号Ｄｔは加算器８２に入力され、音源データＭＰ［ｎ］に加算される。このディザ信号Ｄｔによって、例えば、無信号入力時に生じるＤＡＣ（Ｄ／Ａコンバータ）８３のＤＣオフセット（残留ノイズ）をランダム化（白色化）することができる。
【００４６】
このＩＩＲフィルタによるディザ発生回路８１は、高周波領域において、ナイキスト周波数までは、語長（ＤＳＰ内の演算ユニットのデータ長）に関係なく、高周波数の信号（例えば、１０００ＫＨｚ程度の信号）を生成できる。これにより、正弦波テーブルを使用することなくディザ信号（正弦波信号）を発生できると共に、図２におけるＩＩＲフィルタで構成されたイコライザ回路を、ディザ発生回路として用いてディザ信号を発生させることができる。
【００４７】
以上、本発明の実施の形態について説明したが、図１、図２及び図４に示すイコライザ回路１３〜１６は、デジタル信号処理に特化したプロセッサ（ＤＳＰ）により実現される回路である。また、ＤＳＰは、イコライザ回路処理の機能に特化したＤＳＰであってもよく、プログラムをロードして実行することが可能なプログラマブルＤＳＰであってもよい。
【００４８】
以上、本発明の実施の形態について説明したが、本発明のＤＴＭＦ発生装置、イコライザ装置、およびディザ発生回路は、上述の図示例にのみ限定されるものではなく、本発明の要旨を逸脱しない範囲内において種々変更を加え得ることは勿論である。
【符号の説明】
【００４９】
１１・・・インパルス発生部、１２・・・正弦波発生回路、１３，１４，１５，１６・・・イコライザ回路、２１，２２，２３，６２・・・加算器、４１，４２，４３，４４，４５，４６，６１・・・係数器、５１，５２・・・セレクタ回路、７１・・・機能選択部、７２・・・ＤＴＭＦ選択部、７３・・・イコライザ選択部、８１・・・ディザ発生回路、８２・・・加算器、８３・・・Ｄ／Ａコンバータ（ＤＡＣ）、１００・・・オーディオ信号再生装置、１１１・・・音源データ保存部、１１２・・・ＤＴＭＦ音源データ、１１３・・・ＤＳＰ
【図１】
2011030142.tif 000003
【図２】
2011030142.tif 000004
【図３】
2011030142.tif 000005
【図４】
2011030142.tif 000006
【図５】
2011030142.tif 000007